(57)【要約】【課題】簡単な構造でも音の広がり感や立体感を与えることのできる音響拡散パネルを提供すること。【解決手段】下ベース部１の短手方向の中心線に沿って、複数の円環状溝を形成し、この複数の円環状溝の夫々に対して、同長の複数の半円筒状部材（４ａ〜４ｆ、５ａ〜５ｅ）を嵌め込み立設させ、各半円筒状部材の上端部を上ベース部２の下面に嵌め込む。そして、複数の半円筒状部材は、その平面視半円弧状の膨らみ部分が後面側に向くように下ベース部１に嵌められたもの（４ａ〜４ｆ）と前面側に向くように前記下ベース部１に嵌められたもの（５ａ〜５ｅ）とが交互に立設されたものから成り、隣り合って立設する半円筒状部材は鉛直方向において重なり部を有する。【選択図】図１
2013214001.tif 000002
【特許請求の範囲】
【請求項１】
平面視長方形状でその短手方向中心線に沿って複数の円環状溝を有する下ベース部と、      
前記複数の円環状溝の夫々に対して嵌め込まれて立設される、鉛直方向に延びる円筒状部材を該鉛直方向に２等分した部材で同長の複数の半円筒状部材と、
前記複数の半円筒状部材の上端部を嵌め込む上ベース部と、を備え、
前記複数の半円筒状部材はその平面視半円弧状の膨らみ部分が後面側に向くように前記下ベース部に嵌められたものと前面側に向くように前記下ベース部に嵌められたものとが交互に立設されたものから成り、且つ、隣り合って立設する前記半円筒状部材は鉛直方向において重なり部を有することを特徴とする音響拡散パネル。
【請求項２】
請求項１に記載の音響拡散パネルにおいて、
前記隣り合って立設される前記半円筒状部材の重なり部が、隣り合う１組の半円筒状部材毎に存在するように構成したことを特徴とする音響拡散パネル。
【請求項３】
請求項１および２の内のいずれか一項に記載の音響拡散パネルにおいて、
前記下ベース部および前記上ベース部の四隅を通るように、鉛直方向に立設する柱状部材を設けたことを特徴とする音響拡散パネル。
【請求項４】
請求項１、２および３の内のいずれか一項に記載の音響拡散パネルにおいて、
前記複数の半円筒状部材の材質は、塩化ビニルであることを特徴とする音響拡散パネル。
【請求項５】
請求項１、２、３および４の内のいずれか一項に記載の音響拡散パネルにおいて、
前記半円筒状部材は、前記下ベース部の前記円環状溝に対して回動可能に立設されたことを特徴とする音響拡散パネル。
【発明の詳細な説明】
【技術分野】
【０００１】
本発明は、部屋に設置されたスピーカーの傍等に配置して、そのスピーカーからの音を部屋内に拡散させるための音響拡散パネルに関する。
【背景技術】
【０００２】
従来から、部屋等に配置して音響を調整するための音響拡散体が提案されている。例えば、複数の直径の異なる円柱を配置した柱状拡散体を中高音用に用い、また、内部損失の大きな素材を用いた円筒状の筒状拡散体を低音域用に用いたものが提案されている（例えば、特許文献１参照。）。そして、この柱状拡散体は、筒状拡散体の内側に格納して運搬又は保管を行ったりすることや、筒状拡散体と柱状拡散体とを分離して用いることができる。この筒状拡散体は、上部円柱と、この上部に載せられる下部円柱と、上部円柱と下部円柱とが固定される長さを調整する調整部とを有して構成されていて、この下部円柱には、複数の直径の異なる円柱である筒状拡散体が立設した状態で収納されている。
【０００３】
また、拡散パネルではない吸音パネルにあっても様々なものが提案されている。例えば、対向配置された２枚の平板間に同一径の複数本の円筒を一列に配列し、円筒の延在方向の両端面に閉塞部材を装着したものが提案されている（例えば、特許文献２参照。）。そして、この吸音パネルにあっては、空洞部ごとに、上記２枚の平板と円筒とが接する箇所で、上記２枚の平板のいずれか一方と円筒の面を貫通する開口部が１個又は複数個ずつ形成されている。
【先行技術文献】
【特許文献】
【０００４】
【特許文献１】特開２０１０−１８９８４１号公報（第４−９頁、第１図）
【特許文献２】特開２００９−３０４３０号公報（第１０−１１頁、第９図）
【発明の概要】
【発明が解決しようとする課題】
【０００５】
確かに、特許文献１に記載の音響拡散体によれば、或る場合においては、下部円柱１２０に上部円柱１１０を載せて両者を組み合わせ音響調整を行ったり、また或る場合には、下部円柱１２０と上部円柱１１０とを分離し、結局は、筒状拡散体１０と柱状拡散体２０とを分離して、それぞれを室内の最適な箇所に配置して音響調整を行うことができる。しかしながら、分離可能な部品が多ければ音響調整を最適なものとするための思考錯誤が生じてしまうし、下部円柱１２０内には、柱状拡散体２０は複数の直径の異なる円柱を配置してなるので構造が複雑であった。
【０００６】
また、特許文献２に記載の吸音パネルにあっては、これを天井板として用いる場合には、下の階の室内側から床根太の下面に吸音パネルの一方の平板を上に向けて当接させ、木ねじを開口部から差し入れて、円筒および上記一方の平板を介して床根太にねじ込み、これによって吸音パネルを床根太の下面に固定させ、吸音パネルを室の天井部分全体に敷き詰めるという大掛かりな設置作業が必要になる。たとえ、吸音パネル単体としてその構造を見たとしても、円筒の夫々に矩形状の穴である開口部を形成する必要があるし、この開口部は各空洞で様々な共鳴管長を形成するように空洞毎に該空洞の延在方向のばらばらな位置に形成する必要があり、やはりパネルの構造が複雑であった。
【０００７】
本発明は、かかる従来の課題を解決するためになされたもので、構造が簡単でも音の広がり感や立体感等を与えることのできる音響拡散パネルを提供することを目的とする。
【課題を解決するための手段】
【０００８】
上記目的を達成するために、本発明は、平面視長方形状でその短手方向中心線に沿って複数の円環状溝を有する下ベース部（１）と、      
前記複数の円環状溝（６ａ〜６ｆ）の夫々に対して嵌め込まれて立設される、鉛直方向に延びる円筒状部材を該鉛直方向に２等分した部材で同長の複数の半円筒状部材（４ａ〜４ｆ、５ａ〜５ｅ）と、
前記複数の半円筒状部材の上端部を嵌め込む上ベース部（２）と、を備え、  前記複数の半円筒状部材はその平面視半円弧状の膨らみ部分が後面側に向くように前記下ベース部に嵌められたもの（４ａ〜４ｆ）と前面側に向くように前記下ベース部に嵌められたもの（５ａ〜５ｅ）とが交互に立設されたものから成り、且つ、隣り合って立設する前記半円筒状部材は鉛直方向において重なり部を有することを特徴とするようにした。また、この音響拡散パネルにおいて、前記隣り合って立設される前記半円筒状部材の重なり部が、隣り合う１組の半円筒状部材毎（１０ａと１１ａ、１０ｂと１１ｂ、１０ｃと１１ｃ）に存在するように構成する態様も提案される。
【０００９】
そして、前記複数の半円筒状部材は金属性であり、前記下ベース部材に対して立設された前記半円筒状部材の鉛直方向の重なり部が存在するので、スピーカー等からの放出音を効果的に拡散することで、音に広がり感や立体感を与えることができることを確認した。そして、前記下ベース部（１）と前記上ベース部（２）の両ベース部材（１、２）の四隅を通るように、鉛直方向において立設する柱状部材（その断面は円形状、四角形状等が挙げられる）を備えた構成にすれば、音響拡散パネルの主要部である半円筒状部材に触れずに、この柱状部材を把持して音響拡散パネルの配置の移動等を行うことができるので好ましい。
【発明の効果】
【００１０】
本発明によれば、簡単な構造であっても、音の広がり感や立体感等を与えることのできる音響拡散パネルを実現することができるという効果が得られる。
【図面の簡単な説明】
【００１１】
【図１】音響拡散パネル１００の正面図と正面の線ＸＸでの断面図である。
【図２】音響拡散パネル１００の側面図である。
【図３】半円筒状部材４（５）の斜視図と平面図である。
【図４】下ベース部１に形成された円環状溝とこの溝に対する半円筒状部材の嵌り状態の説明図である。
【図５】円環状溝と半円筒状部材の嵌り状態の他の例の説明図である。
【発明を実施するための形態】
【００１２】
以下、本発明の実施の形態について図面を参照しつつ説明する。図１（ｂ）は音響拡散パネル１００の正面図、図１（ａ）は正面図の線ＸＸでの断面図、図２は音響拡散パネル１００の側面図、図３（ａ）は半円筒状部材４（５）の斜視図、図３（ｂ）は半円筒状部材４（５）の平面図、図４は下ベース部１に形成された円環状溝とこの円形状溝に対する半円筒状部材４（５）の嵌り状態の説明図である。なお、図４においては下ベース部１の右端までの下ベース部１全体は理解の容易化のため記載していない。
【００１３】
この音響拡散パネル１００は、所定の厚みを有し平面形状が長方形の下ベース部１と、この下ベース部１の上面に形成された複数の円環状溝（６ａ〜６ｆ）の夫々に対して嵌め込まれて立設される、鉛直方向に延びる円筒状部材を該鉛直方向に２等分した部材で全てが同じ長さである複数の半円筒状部材（４ａ〜４ｆ、５ａ〜５ｅ）と、この複数の半円筒状部材（４ａ〜４ｆ、５ａ〜５ｅ）の上端部を嵌め込む、平面形状が長方形で所定の厚みを有する上ベース部２とを有して構成されている。そして、下ベース部１と上ベース部２との四隅を通るようにして、鉛直方向にその断面形状が円形である柱状部材３ａ〜３ｄが４本立設されている。この柱状部材３ａ〜３ｄの最下端よりも高い位置に下ベース部１が取り付けられている。したがって、半円筒状部材４（５）に手を触れずに、この柱状部材３ａ〜３ｄを把持して音響拡散パネル１００の配置の移動等を行うことが可能になる。なお、図１、図２および図４に示す柱状部材３ａ〜３ｄの断面形状は円形であるが、図５に示すようにその断面形状は四角形等でも良い。
【００１４】
さて、図４は下ベース部１の上面の模式的な説明図である。下ベース部１の四隅には断面が円形の柱状部材３ａ、３ｃ（３ｂ、３ｄは不図示）が通っていて、下ベース部１を固定している。下ベース部１の上面には、下ベース部１の短手方向中心線に沿って、リング形状の溝である円環状溝６ａ、６ｂ、６ｃ、６ｄ、６ｅ、６ｆが形成されている。そして、図面左から交互に、図３に示す半円筒状部材４ａ、５ａ、４ｂ、５ｂ、４ｃ、５ｃが嵌められて鉛直方向に立設される。なお、図４において、円環状溝６ａ〜６ｆにおける黒く太い半円環状に図示した部分には半円筒状部材が嵌っていることを示している。図３（ａ）の半円筒状部材の斜視図および図３（ｂ）の半円筒状部材の平面図に示すように、半円筒状部材４（５）は、鉛直方向に延びる円筒状部材を鉛直方向に２等分した部材であり、更に、総ての半円筒状部材４（５）の長さは同じである。また、半円筒状部材４（５）は、例えば、建築用部材である塩化ビニル性のボイド管（コンクリート打設用パイプ管）や塩化ビニル性のＶＰ管（排水管）等を利用して製造できる。
【００１５】
再度、図４に戻ってこの半円筒部材４（５）の下ベース部１に対する嵌め込み態様を説明する。半円筒状部材４ａ、４ｂ、４ｃは、その平面視が半円弧状（円環の半分）の膨らみ部分が音響拡散パネル１００の後面側を向くようになっている。一方、半円筒状部材６ａ、６ｂ、６ｃは、その平面視が半円弧状の膨らみ部分が音響拡散パネルの前面側を向くようになっている。かくして、複数の半円筒状部材は、その平面視半円弧状の膨らみ部分が後面側に向くように下ベース部１に嵌められたもの（４ａ、４ｂ、４ｃ）と、平面視半円弧状の膨らみ部分が前面側に向くように下ベース部１に嵌められたもの（６ａ、６ｂ、６ｃ）とが交互に立設されたものから成っている。
【００１６】
また、図４を参照して分かるように、円環状溝の交差部分が存在するため、隣り合う半円筒状部材同士には、音響拡散パネル１００の正面から見て鉛直方向において重なり部分が存在する。
【００１７】
図１（ｂ）の音響拡散パネル１００の正面図と図１（ａ）の音響拡散パネル正面におけるＸＸ線の断面図とを参照してより詳細に説明する。下ベース部１には、その短手方向中心線に沿って、円環状溝が１１個形成されており、隣り合う円環状溝同士には交差部分が存在する。そして、円環状溝には図面左から半円筒状部材４ａ、５ａ、４ｂ、５ｂ、４ｃ、５ｃ、４ｄ、５ｄ、４ｅ、５ｅ、４ｆが嵌められて立設されている。その内、半円筒状部材４ａ、４ｂ、４ｃ、４ｄ、４ｅ、４ｆは、その平面視が半円弧状の膨らみ部分が音響拡散パネル１００の後面側を向くように下ベース部１に嵌められて立設されていると共に、半円筒状部材５ａ、５ｂ、５ｃ、５ｄ、５ｅは、その平面視が半円弧状の膨らみ部分が装置の前面側を向くように下ベース部１に嵌められて立設されている。しかも、隣り合う円環状溝には交差部分があるため、立設される半円筒状部材４（４ａ、４ｂ、４ｃ、４ｄ、４ｅ）とこれと隣り合うように立設される半円筒状部材５（５ａ、５ｂ、５ｃ、５ｄ、５ｅ）とはその鉛直方向において重なり部分が存在する。
【００１８】
そして、各半円筒状部材４ａ、５ａ、４ｂ、５ｂ、４ｃ、５ｃ、４ｄ、５ｄ、４ｅ、５ｅ、４ｆの上端部には、その下面に図１（ａ）と同様な円環状溝が形成されている上ベース部２の夫々の溝に嵌めこまれている。また、前述したように、下ベース部１と上ベース部２との四隅を通るように柱状部材３ａ、３ｂ、３ｃ、３ｄが設けられている。かくして、その正面図が図１（ｂ）、その側面図が図２に示すような音響拡散パネル１００が構築される。
【００１９】
この音響拡散パネル１００の柱状部材３（３ａ〜３ｄ）を把持して、スピーカー等の前に移動して置くと、スピーカー等からの放出音を効果的に拡散することで、音に広がり感や立体感を与えることができることを確認した。なお、上ベース部２の下面には、下ベース部１に形成された複数の円環状溝と同じ円環状溝を設けなくとも、総ての半円筒状部材４、５の上端部を囲むような所定深さを有する長孔を形成して、この長孔で半円筒状部材４、５の上端部に嵌め込むようにしても良い。
【００２０】
また、上述してきた実施の形態においては、各半円筒状部材４（５）は、円環状溝（６ａ〜６ｋ）に対して固定したようにして説明してきたが、各半円筒状部材４（５）を、円環状溝（６ａ〜６ｋ）に沿って回動可能に嵌め込みことでも音響拡散パネル１００を構築することができる。この場合には、各半円筒状部材４（５）の平面視、半円弧状の膨らみ部を、音響拡散パネル１００の前面側に向けたり、後面側に向けたりして、適宜調整することができる。そして、この場合には、隣り合って立設する半円筒状部材４（５）が鉛直方向において重なり部を有する場合に比べ、音場の微調整を行うこともできる。
【００２１】
（変形例）
図５は他の形態の下ベース部１の上面の左側から大部分（右端まで記載せず）の模式的な説明図である。下ベース部１の四隅には断面が四角形の柱状部材８ａ、８ｃ（８ｂ、８ｄは不図示）が通っていて、下ベース部１を固定している。下ベース部１の上面には、下ベース部１の短手方向中心線に沿って、リング形状の溝である円環状溝１２ａ、１２ｂ、１２ｃ、１２ｄ、１２ｅ、１２ｆが形成されている。そして、図面左から交互に、半円筒状部材１０ａ、１１ａ、１０ｂ、１１ｂ、１０ｃ、１１ｃが嵌められて鉛直方向に立設される。なお、図５においても、円環状溝１２ａ〜１２ｆにおける黒く太い半円環状に図示した部分には半円筒状部材が嵌っていることを示している。
【００２２】
円環状溝には図面左から半円筒状部材１０ａ、１１ａ、１０ｂ、１１ｂ、１０ｃ、１１ｃが嵌められて立設されているが、その内、半円筒状部材１０ａ、１０ｂ、１０ｃは、その平面視が半円弧状の膨らみ部分が音響拡散パネル１００の後面側を向くように下ベース部１に嵌められて立設されていると共に、半円筒状部材１１ａ、１１ｂ、１１ｃは、その平面視が半円弧状の膨らみ部分が音響拡散パネル１００の前面側を向くように下ベース部１に嵌められて立設されている。
【００２３】
そして、この形態によれば、隣り合って立設する半円筒状部材１０（１１）が総て、鉛直方向における重なり部を有するのではなく、図面左側から隣り合う１組の半円筒状部材毎（１０ａと１１ａ、１０ｂと１１ｂ、１０ｃと１１ｃ）に、鉛直方向における重なり部を有している。
【００２４】
かくして、図５に示す形態によれば、隣り合って立設される半円筒状部材の重なり部が、隣り合う１組の半円筒状部材毎に存在するように構成されている。このように、本装置においては、正面から見た半円筒状部材の重なり部が存在すれば、スピーカー等からの放出音を効果的に拡散することで、音に広がり感や立体感を与えることができることを確認している。
【００２５】
以上説明してきたように、本発明の実施の形態の音響拡散パネル１００によれば、下ベース部１の短手方向中心線に沿って、複数の円環状溝（６ａ〜６ｆ…）を形成し、この複数の円環状溝の夫々に対して、同長の複数の半円筒状部材（４ａ〜４ｆ、５ａ〜５ｅ）を嵌め込み立設させ、各半円筒状部材の上端部を上ベース部２に嵌め込む。そして、複数の半円筒状部材の夫々は、その平面視半円弧状の膨らみ部分が当該音響拡散パネル１００の後面側に向くように下ベース部１に嵌められたもの（４ａ〜４ｆ）と当該音響拡散パネル１００の前面側に向くように下ベース部１に嵌められたもの（５ａ〜５ｅ）とが交互に立設されて、かつ、隣り合って立設する半円筒状部材は鉛直方向において重なり部を有する構成となっている。このような構成の音響拡散パネル１００をスピーカー等の音源の前方や側方等の適宜な場所に配置することによって、音源（スピーカー等）からの放出音を効果的に拡散することで、音に広がり感や立体感を与えることができる。
【００２６】
なお、本音響拡散パネル１００の一例として、正面横幅「６００（ｍｍ）」、高さ「１２００（ｍｍ）」、下ベース部２下面から上ベース部１上面までの高さ「１０３５（ｍｍ）」、側面幅「１５０（ｍｍ）」の試作品を試作してみたところ、十分な音の広がり感や立体感を得ることができた。
【産業上の利用可能性】
【００２７】
以上説明してきたように、各種音源の近傍に配置して音響拡散パネルとして利用することができる。
【符号の説明】
【００２８】
１  下ベース部
２  上ベース部
３（３ａ、３ｂ、３ｃ、３ｄ）  柱状部材
４（４ａ〜４ｆ）  半円筒状部材
５（５ａ〜５ｅ）  半円筒状部材
６（６ａ〜６ｆ）  円環状溝
８（８ａ、８ｃ）  柱状部材
１０（１０ａ〜１０ｃ）  半円筒状部材
１１（１１ａ〜１１ｃ）  半円筒状部材
１２（１２ａ〜１２ｆ）  円環状溝
１００  音響拡散パネル
【図１】
2013214001.tif 000003
【図２】
2013214001.tif 000004
【図３】
2013214001.tif 000005
【図４】
2013214001.tif 000006
【図５】
2013214001.tif 000007